(57)【要約】【課題】本発明の目的は、傘等の長尺部材を支持する構造を有しつつ、足元スペースの確保を図ったバックシェル及びバックシェル付きシートを提供することにある。【解決手段】バックシェル１は、座５及び該座の後端に背もたれ４を備えたシート２、３を覆いつつ、背もたれの後面を覆う覆い部１４Ａ、１４Ｂと、該覆い部に設けられて長尺部材Ａを支持する長尺部材支持部７と、を有し、長尺部材支持部が、前方に向かうに従って斜め下方に延在する支持面７０を有し、長尺部材は、支持面の内側に位置した状態で、その軸が、前方に向かうに従って斜め下方に向かうように傾けられた状態で支持されるから、着座した人の足元スペースを確保することができる。【選択図】図５
2018130156.tif 000002
【特許請求の範囲】
【請求項１】
座及び該座の後端に背もたれを備えたシートを覆うバックシェルであって、
前記背もたれの後面を覆う覆い部と、該覆い部に設けられて長尺部材を支持する長尺部材支持部と、を有し、
前記長尺部材支持部が、前方に向かうに従って斜め下方に延在する支持面を有し、
前記長尺部材は、前記支持面の内側に位置した状態で、その軸が、前方に向かうに従って斜め下方に向かうように傾けられた状態で支持されることを特徴とするバックシェル。
【請求項２】
各シートを覆う前記覆い部を２以上有し、
２以上の前記覆い部が左右に隣接して設けられ、
隣接する前記覆い部の間に、前記長尺部材支持部が設けられていることを特徴とする請求項１に記載のバックシェル。
【請求項３】
前記長尺部材支持部が、前後方向に延在する板状部と、前記板状部の後端から延出されて、前記覆い部との間に前記長尺部材を挟む弧状部と、を有し、
前記弧状部が前記支持面を有していることを特徴とする請求項１または請求項２に記載のバックシェル。
【請求項４】
各シートを覆う前記覆い部を２つ有し、
前記弧状部が一対設けられ、
一対の前記弧状部が、前記板状部の左右の両側に並んで設けられていることを特徴とする請求項３に記載のバックシェル。
【請求項５】
請求項１から請求項４のうち何れか一項に記載のバックシェルと、
前記シートと、を備えたことを特徴とするバックシェル付きシート。
【発明の詳細な説明】
【技術分野】
【０００１】
本発明は、バックシェル及びバックシェル付きシートに関する。
【背景技術】
【０００２】
従来、乗物室内において傘を保持させる構造が知られている（例えば、特許文献１参照。）。
【０００３】
特許文献１には、乗物用シートの背面に展開、格納自在に設けられたテーブルに傘を保持させる車両用テーブル装置が開示されている。特許文献１に開示された従来の車両用テーブル装置にあっては、格納位置にあるテーブルの上端面に、傘の柄を挿入可能な開口穴が設けられている。このような従来の車両用テーブル装置では、開口穴に傘の柄を挿入させることで、傘の柄が開口穴に引っ掛けられて保持される。
【先行技術文献】
【特許文献】
【０００４】
【特許文献１】特開２０１３−１１２１７３号公報
【発明の概要】
【発明が解決しようとする課題】
【０００５】
このような従来の車両用テーブル装置にあっては、傘は、柄が引っ掛けられることで保持されるので、柄を除く部分が垂れ下がる。このため、乗物用シートに着座した乗員は、足元スペースを確保し難かった。
【０００６】
本発明の目的は、傘等の長尺部材を支持する構造を有しつつ、足元スペースの確保を図ったバックシェル及びバックシェル付きシートを提供することにある。
【課題を解決するための手段】
【０００７】
本発明のバックシェルは、座及び該座の後端に背もたれを備えたシートを覆うバックシェルであって、前記背もたれの後面を覆う覆い部と、該覆い部に設けられて長尺部材を支持する長尺部材支持部と、を有し、前記長尺部材支持部が、前方に向かうに従って斜め下方に延在する支持面を有し、前記長尺部材は、前記支持面の内側に位置した状態で、その軸が、前方に向かうに従って斜め下方に向かうように傾けられた状態で支持されることを特徴とする。
【０００８】
以上のような本発明によれば、長尺部材は、長尺部材支持部によって、支持面の内側に位置した際に、その軸が、前方に向かうに従って斜め下方に向かうように傾けられた状態で支持されるから、従来技術の如く、柄を除く部分が垂れ下がらない。このため、後方のシートに着座した人の足元スペースを確保することができる。
【０００９】
また、長尺部材支持部により、長尺部材が前方に向かうに従って斜め下方に向かうように傾けられた状態で支持されるから、従来技術の如く長尺部材が搖動することなく、目障りにならない。
【００１０】
また、本発明のバックシェルでは、各シートを覆う前記覆い部を２以上有し、２以上の前記覆い部が左右に隣接して設けられ、隣接する前記覆い部の間に、前記長尺部材支持部が設けられていることが好ましい。ここで、２以上の覆い部が左右に並んで設けられる状況（例えば、乗員室内や映画館等の劇場）では、２以上の覆い部の左右の両側が通路とされる場合が多いが、２以上の覆い部の間に、長尺部材支持部が設けられていることで、これに支持された長尺部材が通路に侵出することを抑制できる。
【００１１】
また、本発明のバックシェルでは、前記長尺部材支持部が、前後方向に延在する板状部と、前記板状部の後端から延出されて、前記覆い部との間に前記長尺部材を挟む弧状部と、を有し、前記弧状部が前記支持面を有していることが好ましい。これによれば、長尺部材支持部により、長尺部材が覆い部及び支持面に接触した状態で支持される構成が実現されるから、足元スペースを十分に確保することができる。
【００１２】
また、本発明のバックシェルでは、前記弧状部が一対設けられ、一対の前記弧状部が、前記板状部の左右の両側に並んで設けられていることが好ましい。これによれば、１つの長尺部材支持部により、２本の長尺部材を支持させる構造が実現されるから、足元スペースを十分に確保することができる。
【００１３】
本発明のバックシェル付きシートは、請求項１から請求項４のうち何れか一項に記載のバックシェルと、前記シートと、を備えたことを特徴とする。
【００１４】
以上のような本発明によれば、長尺部材は、長尺部材支持部によって、支持面の内側に位置した際に、その軸が、前方に向かうに従って斜め下方に向かうように傾けられた状態で支持されるから、従来技術の如く、柄を除く部分が垂れ下がらない。このため、後方のシートに着座した人の足元スペースを確保することができる。
【発明の効果】
【００１５】
本発明のバックシェル及びバックシェル付きシートによれば、傘等の長尺部材を支持する構造を有しつつ、足元スペースの確保を図ったバックシェル及びバックシェル付きシートを提供することができる。
【図面の簡単な説明】
【００１６】
【図１】本発明の実施形態に係るバックシェル付きシートを示す斜視図である。
【図２】前記バックシェル付きシートを図１とは別の角度から見た斜視図である。
【図３】前記バックシェル付きシートが前後に並んで設けられた様子を示す側面図である。
【図４】前記バックシェル付きシートの側面図である。
【図５】前記バックシェル付きシートの傘支持部に傘が支持された状態を示す斜視図である。
【図６】（Ａ）は、前記バックシェル付きシートの傘支持部の変形例を示す斜視図であり、（Ｂ）は（Ａ）の断面図である。
【発明を実施するための形態】
【００１７】
以下、本発明の一実施形態に係るバックシェル付きシートを、図１〜図５を参照して説明する。図１、図２は、実施形態に係るバックシェル付きシート１を示す斜視図である。
【００１８】
本実施形態のバックシェル付きシート１は、図１、図２に示すように、左右に並ぶ一対のシート２、３と、一対のシート２、３を支持する（覆う）とともにこれらシート２、３の背もたれ４を覆うバックシェル１０と、を有して構成されている。
【００１９】
図１等に示されたバックシェル付きシート１は、図３にも示すように、列車の乗車空間において、左右に並んだ一対のシート２、３（図３において符号３は不図示）が、縦列するように車両の進行及び後退方向（前後方向）に等間隔をあけて設置されている。図３は、バックシェル付きシート１、１Ａ、１Ｂ、１Ｃが前後に並んで設置された様子を示す側面図である。図３にあっては、先頭（１番目）にあるバックシェル付きシートに符号１を、２番目にあるバックシェル付きシートに符号１Ａを、３番目にあるバックシェル付きシートに符号１Ｂを、４番目にあるバックシェル付きシートに符号１Ｃを付している。なお、本実施形態では、車両の進行及び後退方向を「前後方向」と記し、車幅方向（図３における紙面垂直方向）を「左右方向」と記し、鉛直方向を「上下方向」と記す場合がある。
【００２０】
図３、４に示すように、各シート２、３（符号３は不図示）は、乗車空間を構成するフロアＦに対向する座５と、座５の後端に支持された背もたれ４と、座５の前端に支持されたレッグレスト６と、を有しているとともに、背もたれ４を後方へ傾倒させる機構（以下、「リクライニング機構」と記す）を有して構成されている。図３において、バックシェル付きシート１、１Ｃは、リクライニング機構により背もたれ４を傾倒させた状態を示している。
【００２１】
バックシェル１０は、リクライニング機構により各シート２、３の背もたれ４を傾倒させた際に、後方のバックシェル付きシート１Ａ、１Ｂ、１Ｃに着座した人（乗員）に圧迫感を感じさせ難くするための固定式バックシェルである。さらに、本実施形態のバックシェル１０は、図３に示すように、その第１上縁部１４ａが、着座した乗員の目線と略同じ位置か下方に位置しているから、より一層、乗員に圧迫感を感じさせ難い。
【００２２】
バックシェル１０は、図１、図２、図４に示すように、一対のシート２、３（図１、図２に示す）の左右の両側に設けられて肘掛け１１ａ、１１ａ（図１に示す）として機能する略台形状の一対の側板部１１Ａ、１１Ｂ（図１に示す）と、一対のシート２、３より後方側にて一対の側板部１１Ａ、１１Ｂ間に架け渡される長方形状の下側板部１２（図２に示す）と、展開、収納可能な展開テーブル１３（図２、図４に示す）が設けられるとともに各シート２、３の背もたれ４を覆う一対の覆い部１４Ａ、１４Ｂ（図１、図２に示す）と、各展開テーブル１３と下側板部１２との間に設けられた開閉式ポケット１５（図２に示す）と、一対の覆い部１４Ａ、１４Ｂの間から前方に延出される肘掛け１１ｂ（図１に示す）と、を有して構成されている。肘掛け１１ａと肘掛け１１ｂは、フロアＦからの高さが略同じ高さ（位置）になるように設けられている。
【００２３】
さらにバックシェル１０には、図２に示すように、傘Ａや杖等の長尺部材を支持する２つの傘支持部７（長尺部材支持部）と、ドリンク等の容器を支持する２つのドリンクホルダ８と、複数（図示例では４個）のフック９と、が設けられている。傘支持部７及びドリンクホルダ８は、各シート２、３に着座する各乗員に対して１つずつ設けられ、フック９は、各乗員に対して２つずつ設けられている。２つのドリンクホルダ８は、下側板部１２の両端部１２ａ、１２ｂのそれぞれの上方側でかつ傘支持部７より下方に設けられている。各覆い部１４Ａ（１４Ｂ）に設けられた２つのフック９は、展開テーブル１３の左右の両側でかつ、収納状態の展開テーブル１３の上下の真ん中辺りに設けられている。
【００２４】
一対の側板部１１Ａ、１１Ｂは、図１に示すように、肘掛け１１ａとして機能する上端面（符号１１ａを付す）と、これに略対向する下端面１１ｃと、上端面１１ａ及び下端面１１ｃの各前端に連続される前端面１１ｄと、上端面１１ａ及び下端面１１ｃの各後端に連続される後端面１１ｅと、を有して構成されている。後端面１１ｅは、前方に向かうに従って斜め下方に向かうように傾斜している。
【００２５】
下側板部１２は、図２に示すように、各側板部１１Ａ、１１Ｂの各後端面１１ｅと略同じ角度に傾斜した状態で、一対の側板部１１Ａ、１１Ｂ間に支持されている。
【００２６】
各覆い部１４Ａ、１４Ｂは、図２、図３に示すように、展開テーブル１３を有する覆い部本体１６と、覆い部本体１６の左右方向の両端から各シート２、３を挟むように前方に延出された一対の延出部１７、１８と、を有して上面視略コ字状に形成されている。各一対の延出部１７、１８は、一方が、一対のシート２、３の左右の両側に位置する側板部１１Ａ、１１Ｂに連続され、他方が肘掛け１１ｂに連続されている。
【００２７】
覆い部本体１６は、図４に示すように、各シート２、３の背もたれ４の傾倒を許容するように、所定の寸法だけ各シート２、３から後方に離間して設けられている。
【００２８】
このような各覆い部１４Ａ、１４Ｂは、図２に示すように、覆い部本体１６に設けられて左右に延在する第１上縁部１４ａと、一対の延出部１７、１８に設けられて前方に向かうに従って斜め下方に向かうように傾斜する一対の第２上縁部１４ｂ、１４ｂと、第１上縁部１４ａと略平行な第３下縁部１４ｃと、第３下縁部１４ｃの両端に連続されて一対の第２上縁部１４ｂ、１４ｂそれぞれと略平行な一対の第４下縁部１４ｄ、１４ｄと、を有している。一対の第２上縁部１４ｂ、１４ｂは、各上端が第１上縁部１４ａに連続され、下端のうち一方が肘掛け１１ａに連続され、他方が肘掛け１１ｂに連続されている。各第４下縁部１４ｄ、１４ｄは、各側板部１１Ａ、１１Ｂの各後端面１１ｅと略等しい傾斜角を有して各後端面１１ｅに連続されている。
【００２９】
傘支持部７は、図２に示すように、隣接するシート２、３間の延出部１７、１８に挟んで固定される矩形状の板状部７１と、板状部７１の後端に連続されて各覆い部１４Ａ、１４Ｂと対向するような弧状を有する一対のＣ字状部７２、７２（弧状部）と、を一体に有して構成された樹脂成型品である。各Ｃ字状部７２は、板状部７１の後端から離れた左右の端部７２ａの前後の位置を変位させるように、弾性変形可能に設けられている。即ち、傘支持部７（長尺部材支持部）の支持面７０は、傘Ａ（長尺部材）を、宙に浮いた状態（傘Ａの先端がフロアＦから離間した状態）で支持するような構造（グリップ力）を有している。
【００３０】
板状部７１は、図２に示すように、後端に向かうに従って斜め下方に向かうように設けられている。この板状部７１は、前端（板状部７１の付け根）が、隣接するシート２、３間の延出部１７、１８にボルト固定されている。また、板状部７１は、その前端が、肘掛け１１ａ、１１ｂと略同じ高さ（位置）になるように設けられている。即ち、傘支持部７は、傘Ａが、宙に浮いた状態で支持されるような高さ（位置）に設けられている。従って、傘支持部７（長尺部材支持部）の支持面７０は、傘Ａ（長尺部材）を、宙に浮いた状態（傘Ａの先端がフロアＦから離間した状態）で支持するような構造（形成位置）を有している。
【００３１】
各Ｃ字状部７２は、図２に示すように、各覆い部１４Ａ、１４Ｂに対向するとともに、傘Ａの外周面に接触する湾曲面７０（支持面）を有して構成されている。湾曲面７０は、前方に向かうに従って斜め下方に延在する面を有して構成されている。また、湾曲面７０は、前方に向かうに従って斜め下方に延在する延在方向の長さが、傘Ａを宙に浮いた状態で支持することが可能な強度を有する長さに形成されている。また、各Ｃ字状部７２において、着座した乗員に対向する面には、図２に示すように傘マークが表示されている。こうして、傘支持部７の使用例の一例を着座した乗員に図示している。
【００３２】
このような傘支持部７にあっては、図５に示すように、傘Ａ（長尺部材）を、覆い部１４Ａ（１４Ｂ）とＣ字状部７２との間に、左右の外側から傘Ａを板状部７１に近付けるように挿入することで、傘ＡがＣ字状部７２の内側（支持面７０の内側）に位置して、傘支持部７に支持される。この際、傘Ａは、その軸が、前方に向かうに従って斜め下方に向かうように傾けられた状態で支持されるから、柄を除く部分が垂れ下がらない。このため、後方のシート２、３に着座した人の足元スペースを確保することができる。
【００３３】
また、傘支持部７（長尺部材支持部）の支持面７０は、傘Ａ（長尺部材）を、宙に浮いた状態（傘Ａの先端がフロアＦから離間した状態）で支持するような構造（形成位置やグリップ力）を有している。これによれば、傘Ａが、宙に浮いた状態で支持されるから、足元スペースを十分に確保することができる。
【００３４】
また、傘支持部７（長尺部材支持部）により、傘Ａ（長尺部材）が前方に向かうに従って斜め下方に向かうように傾けられた状態で支持されるから、傘Ａが搖動することなく、目障りにならない。
【００３５】
また、本実施形態のバックシェル１０にあっては、覆い部１４Ａ、１４Ｂを２以上有し、２以上の覆い部１４Ａ、１４Ｂが左右に並んで設けられ、これら覆い部１４Ａ、１４Ｂの間に、傘支持部７（長尺部材支持部）が設けられている。ここで、２以上の覆い部１４Ａ、１４Ｂが左右に並んで設けられる状況（例えば、乗員室内や映画館等の劇場）では、２以上の覆い部１４Ａ、１４Ｂの左右の両側が通路とされる場合が多いが、２以上の覆い部１４Ａ、１４Ｂの間に、傘支持部７が設けられていることで、これに支持された傘Ａ（長尺部材）が通路に侵出することを抑制できる。
【００３６】
また、本実施形態のバックシェル１０にあっては、傘支持部７（長尺部材支持部）が、前後方向に延在する板状部７１と、板状部７１の後端から延出されて、覆い部１４Ａ（１４Ｂ）との間に傘Ａ（長尺部材）を挟むＣ字状部７２、７２（弧状部）と、を有し、各Ｃ字状部７２が支持面７０を有している。傘支持部７により、傘Ａが覆い部１４Ａ（１４Ｂ）に接触した状態で支持される構成が実現されるから、足元スペースを十分に確保することができる。
【００３７】
また、本実施形態のバックシェル１０にあっては、Ｃ字状部７２（弧状部）が一対設けられ、一対のＣ字状部７２、７２が左右に並んで設けられている。これによれば、１つの傘支持部７（長尺部材支持部）により、２本の傘Ａ（長尺部材）を支持させる構造が実現されるから、足元スペースを十分に確保することができる。
【００３８】
なお、本発明は、前記実施形態に限定されるものではなく、本発明の目的が達成できる他の構成等を含み、以下に示すような変形例も本発明に含まれる。
【００３９】
上記実施形態では、バックシェル付きシート１は、一対のシート２、３と、これらのシート２、３を支持する（覆う）一対の覆い部１４Ａ、１４Ｂを含むバックシェル１０と、を有して構成されていたが、本発明はこれに限定されるものではない。バックシェル付きシートは、１つのシート２（３）とこれを支持する１つの覆い部１４Ａ（１４Ｂ）を含むバックシェルとを有して構成されていてもよく、３つ以上のシート２（３）とこれを支持する３以上の覆い部１４Ａ（１４Ｂ）を含むバックシェルとを有して構成されていてもよい。ここで、バックシェル付きシートが３つ以上のシート２（３）を有して構成されていた場合には、傘支持部７（長尺部材支持部）は、隣接するシート２、３間に設けられるので、シート２（３）の数よりも１つ少ない数だけ設けられていればよい。
【００４０】
また、上記実施形態では、傘支持部７（長尺部材支持部）は、隣接する２つの覆い部１４Ａ、１４Ｂの間に設けられているが、本発明はこれに限定されるものではない。傘支持部は、２つの覆い部１４Ａ、１４Ｂの間に設けられていなくともよい。例えば、傘支持部は、隣接する覆い部１４Ａ、１４Ｂの左右の両側それぞれに設けられていてもよく、覆い部１４Ａ（１４Ｂ）において、フック９の近傍に設けられていてもよく、各側板部１１Ａ（１１Ｂ）に設けられていてもよい。即ち、傘支持部により、傘Ａが前方に向かうに従って斜め下方に向かうように傾けられた状態で支持されていれば、バックシェル１０の何れの位置に設けられていてもよい。
【００４１】
また、上記実施形態では、傘支持部７（長尺部材支持部）は、一対のＣ字状部７２、７２（弧状部）を有していたが、本発明はこれに限定されるものではない。Ｃ字状部７２は、傘支持部７に１つのみ設けられていてもよい。
【００４２】
また、上記実施形態では、傘支持部７（長尺部材支持部）の支持面７０は、傘Ａ（長尺部材）を、宙に浮いた状態（傘Ａの先端がフロアＦから離間した状態）で支持するような構造（形成位置やグリップ力）を有しているが、本発明はこれに限定されるものではない。長尺部材支持部の支持面は、傘Ａ（長尺部材）を、宙に浮いた状態（傘Ａの先端がフロアＦから離間した状態）で支持するような構造（形成位置やグリップ力）を有していなくともよい。長尺部材支持部の支持面が、傘Ａ（長尺部材）を、宙に浮いた状態（傘Ａの先端がフロアＦから離間した状態）で支持するような構造（形成位置やグリップ力）を有していなくとも、本発明の権利範囲に含むものとする。
【００４３】
また、上記実施形態では、傘支持部７（長尺部材支持部）は、隣接するシート２、３間の延出部１７、１８に挟んで固定される矩形状の板状部７１と、板状部７１の後端に連続されて各覆い部１４Ａ、１４Ｂと対向するような弧状を有する一対のＣ字状部７２、７２（弧状部）と、を一体に有して構成された樹脂成型品であるが、本発明はこれに限定されるものではない。長尺部材支持部は弾性体から構成されていてもよい。これによれば、長尺部材支持部が過剰な変形により破損するのを抑制できる。
【００４４】
また、上記実施形態では、傘支持部７は、傘Ａ（長尺部材）を、覆い部１４Ａ（１４Ｂ）とＣ字状部７２との間に、左右の外側から傘Ａを板状部７１に近付けるように挿入することで、傘支持部７に支持させるようなＣ字状部（弧状部）を有していたが、本発明はこれに限定されるものではない。傘支持部（長尺部材支持部）は、図６に示すように、傘Ａの先端を、傘支持部の上方から挿入することでこれに支持させるような環状部７２´（弧状部）を有して構成されていてもよい。環状部には、前方に向かうに従って斜め下方に延在する支持面が設けられていればよい。
【００４５】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４６】
１、１Ａ〜１Ｃ  バックシェル付きシート
１０            バックシェル
２、３          シート
４              背もたれ
５              座
７、７´        長尺部材支持部
１４Ａ、１４Ｂ  覆い部
７１            板状部
７２            （一対の）Ｃ字状部（弧状部）
７２´          環状部（弧状部）
【図１】
2018130156.tif 000003
【図２】
2018130156.tif 000004
【図３】
2018130156.tif 000005
【図４】
2018130156.tif 000006
【図５】
2018130156.tif 000007
【図６】
2018130156.tif 000008